(57)【要約】  【課題】  テレビジョンカメラヘッドに電源供給中かスタンバイ中かをひと目で確認することが可能なテレビジョンカメラ装置を提供する。  【解決手段】  テレビジョンカメラヘッド１０２とカメラコントロールユニットとをケーブル２０４，１０３とユニット（例、光成端箱）１０４を介して接続し且つカメラコントロールユニットからテレビジョンカメラヘッド１０２に電源を供給するテレビジョンカメラ装置において、ユニット１０４に、カメラコントロールユニットからテレビジョンカメラヘッド１０２に電源を供給しているかを検出する検出回路１０５と、その検出結果を表示する表示器１０６を具備したことを特徴とする。【選択図】図１
2006319829.tif 000002
【特許請求の範囲】
【請求項１】
テレビジョンカメラヘッドとカメラコントロールユニットとをケーブルとユニットを介して接続し且つ前記カメラコントロールユニットから前記テレビジョンカメラヘッドに電源を供給するテレビジョンカメラ装置において、
前記ユニットに、前記カメラコントロールユニットから前記テレビジョンカメラヘッドに電源を供給しているかを検出する検出回路と、その検出結果を表示する表示器を具備したことを特徴とするテレビジョンカメラ装置。
【請求項２】
請求項１記載のテレビジョンカメラ装置において、前記電源は前記テレビジョンカメラヘッドに供給する電源と、スタンバイで使用する電源を含み、前記ユニットの前記検出回路は、前記テレビジョンカメラヘッドに電源供給しているときと前記スタンバイのときとで異なる検出結果を出力し、前記表示器で異なる色表示をすることを特徴とするテレビジョンカメラ装置。
【請求項３】
請求項１または２記載のテレビジョンカメラ装置において、前記テレビジョンカメラヘッド、前記カメラコントロールユニット、前記検出回路および前記表示器が複数組有することを特徴とするテレビジョンカメラ装置。
【発明の詳細な説明】
【技術分野】
【０００１】
本発明は、テレビジョンカメラヘッドとカメラコントロールユニットとをケーブルとユニットを介して接続し且つカメラコントロールユニットからテレビジョンカメラヘッドに電源を供給するテレビジョンカメラ装置に関する。
【背景技術】
【０００２】
放送局などにおけるテレビジョンカメラ装置では、スタジオに、複数のテレビジョンカメラヘッドが設置され、別室の調整室に、複数のテレビジョンカメラヘッドの各々に対応する複数のカメラコントロールユニットが配置される（例えば、特許文献１参照）。
【０００３】
通常、このようなテレビジョンカメラ装置においては、カメラコントロールユニットからテレビジョンカメラヘッドのための電源を供給するようにしている。
【０００４】
【特許文献１】特開２００４−１６６０７５号公報
【発明の開示】
【発明が解決しようとする課題】
【０００５】
スタジオに設定された複数のテレビジョンカメラヘッドのうち、特定のテレビジョンカメラヘッド例えばＣＡＭ２を修理したい場合、そのＣＡＭ２の光ケーブルを抜くようにとの指示がでる。
【０００６】
その指示に基づき、工事業者の人がＣＡＭ２の光ケーブルを抜く。
【０００７】
しかしながら、スタジオ内には複数のテレビジョンカメラヘッドに限らず多くの光ケーブルが混在しているため、誤って電源供給している光ケーブルを抜いてしまう恐れがある。
【０００８】
したがって、誤ってオンエア（放送）中の例えばＣＡＭ１の光ケーブルを抜いてしまうおそれがあり、ＣＡＭ１の光ケーブルを抜いてしまった場合には、放送中のテレビジョンカメラヘッドの画像が途絶えて、放送事故となることが懸念される。
【０００９】
本発明の目的は、テレビジョンカメラヘッドに電源供給中かスタンバイ中かをひと目で確認することが可能なテレビジョンカメラ装置を提供することにある。
【課題を解決するための手段】
【００１０】
このため、本発明は、テレビジョンカメラヘッドとカメラコントロールユニットとをケーブルとユニットを介して接続し且つ前記カメラコントロールユニットから前記テレビジョンカメラヘッドに電源を供給するテレビジョンカメラ装置において、前記ユニットに、前記カメラコントロールユニットから前記テレビジョンカメラヘッドに電源を供給しているかを検出する検出回路と、その検出結果を表示する表示器を具備したことを特徴とする。
【００１１】
また本発明は、上記記載のテレビジョンカメラ装置において、前記電源は前記テレビジョンカメラヘッドを供給する電源と、スタンバイで使用する電源を含み、前記ユニットの前記検出回路は、前記テレビジョンカメラヘッドに電源供給しているときと前記スタンバイのときとで異なる検出結果を出力し、前記表示器で異なる色表示をすることを特徴とする。
【００１２】
また本発明は、上記記載のテレビジョンカメラ装置において、前記テレビジョンカメラヘッド、前記カメラコントロールユニット、前記検出回路および前記表示器が複数組有することを特徴とする。
【発明の効果】
【００１３】
本発明によれば、テレビジョンカメラヘッドに電源供給中かスタンバイ中かをひと目で確認することが可能なテレビジョンカメラ装置を得ることができる効果を奏する。
【発明を実施するための最良の形態】
【００１４】
本発明に係る実施の形態について説明する。
【００１５】
図４は、本発明によるテレビジョンカメラシステムの実施の形態の全体構成を示す図である。
【００１６】
スタジオ１０１に、複数のテレビジョンカメラヘッド１０２が設置され、別室の調整室２０１に、複数のテレビジョンカメラヘッド１０２の各々に対応する複数のカメラコントロールユニット２０２が配置される。
【００１７】
スタジオ１０１に設置された複数のテレビジョンカメラヘッド１０２は、各々光ケーブル１０３を介してスタジオ１０１に設置されたユニットの一例である光成端箱１０４に接続される。
【００１８】
別室の調整室２０１に設置された複数のカメラコントロールユニット２０２は、調整室２０１に設置されたラック２０３に置かれ、各々光ケーブル２０４を介してスタジオ１０１に設置されたユニットの一例である光成端箱１０４に接続される。
【００１９】
スタジオ１０１に設置された光成端箱１０４と、別室の調整室２０１に設置されたカメラコントロールユニット２０２は、スタジオ１０１と調整室２０１の間の床下を通り接続される。
【００２０】
この構成において、スタジオ１０１に設置された複数のテレビジョンカメラヘッド１０２を動作させるための電源が、調整室２０１に設置された複数のカメラコントロールユニット２０２の各々から、各々光ケーブル２０４、光成端箱１０４、光ケーブル１０３を介して供給される。
【００２１】
ここで、複数のテレビジョンカメラヘッド１０２に供給される電源としては、テレビジョンカメラヘッド１０２に電源供給するときには、ＡＣ２３０ＶとＤＣ２４Ｖの両方であり、ＡＣ２３０ＶとＤＣ２４Ｖが、対応するカメラコントロールユニット２０２から光成端箱１０４、光ケーブル１０３を介して供給される。
【００２２】
それに対して、テレビジョンカメラヘッド１０２をスタンバイするときには、ＤＣ２４Ｖのみであり、ＤＣ２４Ｖが、対応するカメラコントロールユニット２０２から光成端箱１０４、光ケーブル１０３を介して供給される。
【００２３】
図１は、本発明によるテレビジョンカメラシステムの実施の形態のうちの、スタジオ側の詳細な接続構成を示す図である。
【００２４】
本発明の実施の形態では、スタジオ１０１に設置されるユニットの一例である光成端箱１０４に、外部ケーブルである光ケーブル２０４と複数のテレビジョンカメラヘッド１０２に接続される光ケーブル１０３との間に接続される検出回路１０５と、その結果を表示する表示器１０６を設置する。
【００２５】
検出回路１０５は、上記のように、外部の光ケーブル２０４より、テレビジョンカメラヘッド１０２に電源供給するときには、ＡＣ２３０ＶとＤＣ２４Ｖの両方が供給され、テレビジョンカメラヘッド１０２をスタンバイするときには、ＤＣ２４Ｖのみが供給される。
【００２６】
検出回路１０５はこの２種類の入力状態に応じて異なる表示信号を出力し、その結果を表示器１０６で表示する。
【００２７】
図２は、図１における光成端箱１０４内の検出回路１０５と表示器１０６の具体的回路例を示す図である。なお、図２においては、複数のテレビジョンカメラヘッド１０２のうちの一つのテレビジョンカメラヘッド１０２に対する検出回路１０５と表示器１０６の具体的回路例を示すが、他のテレビジョンカメラヘッド１０２に対する検出回路１０５と表示器１０６の具体的回路例も同じ回路である。
【００２８】
図２において、検出回路１０５は検出器１０８と表示駆動回路１０９で構成される。
【００２９】
検出器１０８は２つの検出器１０８ａ，１０８ｂからなる。
【００３０】
ここで、検出器１０８ａはＡＣ２３０Ｖラインに並列に接続され、ＡＣ２３０Ｖの入力があるときはＨｉｇｈを出力し、ないときはＬｏｗを出力する。また検出器１０８ｂはＤＣ２４Ｖラインに並列に接続され、ＤＣ２４Ｖの入力があるときはＨｉｇｈを出力し、ないときはＬｏｗを出力する。
【００３１】
検出器１０８の出力結果は表示駆動回路１０９により、表示器１０６に内蔵している一例である赤色発光用ＬＥＤ１０６ａと緑色発光用ＬＥＤ１０６ｂを点灯させる。
【００３２】
図３は、図１における光成端箱１０４の外観を示す図である。
【００３３】
図３において、図２と同一個所には同一符号を付けた。すなわち、光成端箱１０４の外面に、複数のテレビジョンカメラヘッド１０２の各々に対応する複数のコネクタ１０７と、本実施の形態において特徴とするところの、複数のテレビジョンカメラヘッド１０２の各々に対応する複数の表示器１０６のカバーが設置される。
【００３４】
この複数の表示器１０６の各々のカバーの内側に、図２で示す表示器１０６の一例である赤色発光用ＬＥＤ１０６ａと緑色発光用ＬＥＤ１０６ｂとが設置される。
【００３５】
次に、動作を説明する。
【００３６】
図４，図１において、テレビジョンカメラヘッド１０２に電源供給するときには、ユニットの一例である光成端箱１０４に設置した検出回路１０５に、ＡＣ２３０ＶとＤＣ２４Ｖの両方が、光ケーブル１０３を介してカメラコントロールユニット２０２から供給される。
【００３７】
そのうちＡＣ２３０Ｖが図２の検出器１０８ａに入力され、検出器１０８ａはＨｉｇｈを出力し、ＤＣ２４Ｖが検出器１０８ｂに入力され、検出器１０８ｂはＨｉｇｈを出力し、表示駆動回路１０９により赤色発光用ＬＥＤ１０６ａが赤色発光される。
【００３８】
その結果、特に図３において、電源供給中のテレビジョンカメラヘッド１０２に対応する表示器１０６が赤色発光で表示されるので、電源供給中のテレビジョンカメラヘッド１０２をひと目で確認することが可能である。
【００３９】
テレビジョンカメラヘッド１０２をスタンバイするとき、すなわち機器の設置、光ケーブルの接続が完了し、カメラコントロールユニット２０２の電源をＯＮにし、テレビジョンカメラヘッド１０２の電源をＯＦＦしたときには、ユニットの一例である光成端箱１０４に設置した検出回路１０５に、ＤＣ２４Ｖが光ケーブル１０３を介してカメラコントロールユニット２０２から供給され、ＡＣ２３０Ｖは供給されない。
【００４０】
供給されたＤＣ２４Ｖが図２の検出器１０８ｂに入力され、検出器１０８ｂはＨｉｇｈを出力し、一方検出器１０８ａはＬｏｗを出力し、表示駆動回路１０９により緑色発光用ＬＥＤ１０６ｂが緑色発光される。
【００４１】
その結果、特に図３において、スタンバイ中のテレビジョンカメラヘッド１０２に対応する表示器１０６が緑色発光で表示されるので、スタンバイ中のテレビジョンカメラヘッド１０２をひと目で確認することが可能である。
【００４２】
次に、テレビジョンカメラヘッド１０２に電源を供給しない場合には、検出器１０８ａ，１０８ｂの両出力がＬｏｗとなるため、赤色発光用ＬＥＤ１０６ａおよび緑色発光用ＬＥＤ１０６ｂは発光しない。
【００４３】
ここで、複数のテレビジョンカメラヘッド１０２のうちの例えば一つのテレビジョンカメラヘッドＣＡＭ１がオンエア中で、隣のテレビジョンカメラヘッドＣＡＭ２を修理したい場合を想定する。
【００４４】
この場合には、テレビジョンカメラヘッドＣＡＭ１が電源供給中なので、図３のテレビジョンカメラヘッドＣＡＭ１に対応する表示器１０６が、上記説明から明らかのように、赤色発光で表示されている。
【００４５】
よって、隣のテレビジョンカメラヘッドＣＡＭ２を修理したい場合、光ケーブルを抜く人は、抜く際電源供給中のテレビジョンカメラヘッドをひと目で確認することが可能である。
【００４６】
したがって、誤って電源供給中のＣＡＭ１の光ケーブルを抜いてしまい、そのとき電源供給中で且つオンエア中であった場合、放送中のテレビジョンカメラヘッドの画像が途絶えて、放送事故となる懸念事項を、解消することができる。
【図面の簡単な説明】
【００４７】
【図１】本発明によるテレビジョンカメラシステムの実施の形態のうちの、スタジオ側の詳細な接続構成を示す図である。
【図２】図１における光成端箱内の検出回路と表示器の具体的回路例を示す図である。
【図３】図１における光成端箱の外観を示す図である。
【図４】本発明によるテレビジョンカメラシステムの実施の形態の全体構成を示す図である。
【符号の説明】
【００４８】
１０１…スタジオ、１０２…テレビジョンカメラヘッド、１０３…光ケーブル、１０４…光成端箱、１０５…検出回路、１０６…表示器、１０６ａ…赤色発光用ＬＥＤ、１０６ｂ…緑色発光用ＬＥＤ、１０７…コネクタ、１０８，１０８ａ，１０８ｂ…検出器、１０９…表示駆動回路、２０１…調整室、２０２…カメラコントロールユニット、２０３…ラック、２０４…光ケーブル。
【図１】
2006319829.tif 000003
【図２】
2006319829.tif 000004
【図３】
2006319829.tif 000005
【図４】
2006319829.tif 000006